(57)【要約】    【課題】  乳幼児製品に取り付けられた縫付ボタンの縫付糸が切れた場合に、乳幼児が、乳幼児製品から外れた縫付ボタンを誤って飲み込んで喉を詰まらせる窒息事故を回避する。    【解決手段】  表面布２と、縫付ボタン１１を通すスリット４を備えた裏面布３とで構成され、前記表面布２及び前記裏面布３を相互に対向させて、前記表面布２及び前記裏面布３の周縁部が接合された縫付ボタン用カバー１において、前記表面布２及び前記裏面布３は、嚥下不可能に寸法構成された一対の形状で成形された。【選択図】図１
2005034541.tif 000002
【特許請求の範囲】
【請求項１】
表面布と、縫付ボタンを通すスリットを備えた裏面布とで構成され、前記表面布及び前記裏面布を相互に対向させて、前記表面布及び前記裏面布の周縁部が接合された縫付ボタン用カバーにおいて、
前記表面布及び前記裏面布は、嚥下不可能に寸法構成された一対の形状で成形されていることを特徴とする、縫付ボタン用カバー。
【請求項２】
前記表面布及び前記裏面布は、動植物等を模造した一対の形状で成形されていることを特徴とする、請求項１記載の縫付ボタン用カバー。
【発明の詳細な説明】
【技術分野】
【０００１】
本発明は、縫付ボタン用カバーに関し、特に、乳幼児製品に取り付けられた縫付ボタンのカバーに関する。
【背景技術】
【０００２】
現在、乳幼児製品は、縫付ボタンが取り付けられて販売されているものは少ない。乳幼児に対する安全性が十分に配慮されていなければならず、縫付糸が自然に切れて縫付ボタンが製品から外れてしまったり、又は乳幼児が縫付ボタンを引張って縫付糸を引きちぎったりすると、乳幼児が、製品から外れた縫付ボタンを誤って飲み込んで喉を詰まらせるという窒息事故を引き起こす危険性があるためである。
【０００３】
このため、例えば、乳幼児用ふとんカバーは、通常、ふとんを出し入れするための開口部が片側に設けられているが、この開口部には、ふとんカバーに入れられたふとんを封入するためのファスナーが取り付けられているものが多い（特許文献はなし）。
【発明の開示】
【発明が解決しようとする課題】
【０００４】
しかしながら、このようなファスナーがふとんカバーに取り付けられている場合には、前記ふとんカバーの片側全体を開口させることができないので、ふとんの出し入れがしにくく、特に、ふとんの角をふとんカバーの四隅にまで入れるのが煩わしいものとなっている。
【０００５】
そこで、乳幼児用ふとんカバーには、表地側に縫付ボタンを取り付け、裏地側の開口部から延在させた封入部にスリットを設けて、前記縫付ボタンをスリットに通してふとんの出し入れ作業を行う開口部を閉じることにより、ふとんを封入するものがある。このようなふとんカバーを使用する場合には、カバーの片側全体が開口しているので、比較的容易にふとんの出し入れ作業を行うことができる。
【０００６】
前記縫付ボタンが取り付けられたふとんカバーでふとんの出し入れをする場合、前記ファスナーが取り付けられたふとんカバーと比較して、ふとんの出し入れがし易くはなるものの、縫付ボタンが取り付けられているために、乳幼児に対する安全性が十分に確保できていないという問題点がある。同様に、他の乳幼児製品についても縫付ボタンが取り付けられた場合には、乳幼児に対する安全性の確保が問題となる。
【０００７】
本発明は、かかる問題点を解消するため、乳幼児製品から外れたボタンを乳幼児が飲み込むことを防止できる縫付ボタン用カバーを提供し、乳幼児に対する安全性を確保して、縫付ボタンが取り付けられた乳幼児製品を広く使用可能にすることを目的とする。
【課題を解決するための手段】
【０００８】
前記課題を解決するための手段として、本発明は、表面布と、縫付ボタンを通すスリットを備えた裏面布とで構成され、前記表面布及び前記裏面布を相互に対向させて、前記表面布及び前記裏面布の周縁部が接合された縫付ボタン用カバーにおいて、
前記表面布及び前記裏面布は、嚥下不可能に寸法構成された一対の形状で成形されたものである。
【０００９】
本発明が以上のように構成されていることにより、衣服等の製品に取り付けた状態で縫付ボタンの縫付糸が切れた場合、表面布と裏面布の間に挟持されたまま衣服等の製品から外れる。
【００１０】
また、単に縫付ボタンをカバーするだけではなく、ふとんカバー、シャツ等の乳幼児製品自体の装飾効果を高めることができるように、前記表面布と前記裏面布は、動植物等を模造した一対の形状で成形されたものであってもよい。
【発明の効果】
【００１１】
本発明によれば、縫付ボタンに本発明の縫付ボタン用カバーが取り付けられたまま、縫付糸が自然に切れて縫付ボタンが衣服等の製品から外れたり、乳幼児が縫付糸を引きちぎっても、乳幼児が誤って縫付ボタンを飲み込んで喉を詰まらせるような事故が発生することはなく、乳幼児に対する安全性を確保することができる。
【発明を実施するための最良の形態】
【００１２】
以下、添付の図面に従って、本発明の実施形態を説明するが、説明及び図示されたものに、本発明の実施形態が限定されるものではない。
【００１３】
図１は、本発明の縫付ボタン用カバーを示している。本発明の縫付ボタン用カバー１は、表面布２と裏面布３とで構成される。
【００１４】
表面布２は、乳幼児が嚥下不可能に寸法構成される。この表面布２は、図２に示したように、表側に動物の頭部の正面部分を模造して成形されている。
【００１５】
裏面布３は、前記表面布２と同様に、乳幼児が嚥下不可能に寸法構成される。この裏面布３は、図３に示したように、表側に動物の頭部の背面部分を模造して成形され、これにより、前記表面布２とデザイン的に一対となるような形状に構成されている。また、この裏面布３は、中央部に横方向スリット４を備える。この横方向スリット４に縫付ボタン１１を通すことにより、本発明の縫付ボタン用カバー１が、縫付ボタン１１を介して乳幼児製品１０に着脱自在に係止されるが、横方向スリット４は、乳幼児等が引張っても縫付ボタン用カバー１の乳幼児製品１０への係止が解除されないように、スリットの形状が調整される必要がある。
【００１６】
前記表面布２と前記裏面布３は、相互に裏側を対向させて周縁部を縫付糸で縫合処理したり、又は対向面側の周縁部に加工された熱接着フィルムを加熱処理すること等により、接合されている。
【００１７】
前記構成からなる縫付ボタン用カバー１を縫付ボタン１１に取り付けた状態で縫付ボタン１１の縫付糸が切れると、縫付ボタン１１が縫付ボタン用カバー１の表面布２と裏面布３の間に挟持されたまま衣服等の製品から外れる。この縫付ボタン用カバー１は、乳幼児が飲み込むことはできない。
【００１８】
また、図示した縫付ボタン用カバー１は、表面布２及び裏面布３が動物の頭部を模造してそれぞれ成形されているが、これ以外に、キャラクター物、動物の全体像、植物、乗物等の形状を模造して成形されてもよい。本発明の縫付ボタン用カバーが前記のような形状に模造して成形されていれば、図４，５に示したように、シャツ、ふとんカバー等の乳幼児製品１０にアップリケ等の装飾物を縫い付けたりしなくても、簡易な方法で乳幼児製品１０に装飾が付加される。
【図面の簡単な説明】
【００１９】
【図１】本発明の縫付ボタン用カバーの斜視図である。
【図２】本発明の縫付ボタン用カバーの正面図である。
【図３】本発明の縫付ボタン用カバーの背面図である。
【図４】本発明の縫付ボタン用カバーが縫付ボタンに取り付けられた状態の乳幼児用シャツである。
【図５】本発明の縫付ボタン用カバーが縫付ボタンに取り付けられた状態の乳幼児用ふとんカバーである。
【符号の説明】
【００２０】
１  縫付ボタン用カバー
２  表面布
３  裏面布
４  スリット
１０  乳幼児製品
１１  縫付ボタン
【図１】
2005034541.tif 000003
【図２】
2005034541.tif 000004
【図３】
2005034541.tif 000005
【図４】
2005034541.tif 000006
【図５】
2005034541.tif 000007